(57)【特許請求の範囲】
【請求項１】
竪樋から雨水を導入する雨水導入口及び導入した雨水を取り出す取水口を有する、上部に開口部が形成されている有底筒状のタンク本体と、このタンク本体の前記開口部を覆う蓋体と、前記タンク本体を支持する架台とを備え、
前記タンク本体には、その内側部分が平面部であり、外周部が円弧状に傾斜している底部の中央に、外周面に雄ねじが形成されている筒状でタンク本体の内部と連通されたねじ部が下方に突出して設けられ、このねじ部の左右両側に、下方に向かって縮径する円錐台形状の凸部が下方に膨出してタンク本体の底部に一体に形成されており、
前記架台は、前記タンク本体を支持するタンク本体受け部を上部に有し、このタンク本体受け部の左右両側の下部に脚部が形成されており、
前記架台の前記タンク本体受け部の外形形状は、タンク本体の底部の外形形状と同一形状もしくは略同一形状であり、前記タンク本体受け部には、前記タンク本体の底部に設けられた前記ねじ部に対応する箇所に、このねじ部が挿通する孔部が設けられ、かつ前記タンク本体の底部に形成された前記凸部に対応する箇所に、この凸部の外形形状に対応する形状を有する凹部が形成され、かつ前記タンク本体受け部には、その内側部分に平面部が形成され、前記タンク本体受け部の周縁部分は、外側方に向かって湾曲しながら立ち上がっており、
前記凹部に前記凸部が係合し、前記タンク本体受け部が前記タンク本体の前記底部に面接触し、かつ前記ねじ部の先端側から前記孔部に挿入されて内周面に雌ねじが形成されている締結具が、前記ねじ部の先端側からねじ込まれることにより、前記タンク本体が前記架台に固定される
ことを特徴とする雨水貯留タンク。
【発明の詳細な説明】
【技術分野】
【０００１】
本発明は、雨水貯留タンクに関する。
【背景技術】
【０００２】
従来、雨水貯留タンクは、その前面の下部に取水口としてのＬ字状の蛇口を水平方向に突出させて設けている（例えば、特許文献１参照）。このような構成の雨水貯留タンクは、利用者が雨水貯留タンクの前面に設けた蛇口からじょうろやバケツ等の容器に直接給水するために、容器が配置可能なスペースを蛇口下方に確保する必要があり、そのために雨水貯留タンクを安定な台座の上に設置しなければならなかった。しかしながら、雨水貯留タンクを台座の上に設置する場合には、振動、風雨等による雨水貯留タンクのずれ、脱落等を防止するために、雨水貯留タンクを台座に固定する必要がある。
【０００３】
一方、タンク本体下部の左右両側に樹脂製の筒状の脚部を設けることが知られている（例えば、特許文献２参照）。このような雨水貯留タンクは、じょうろやバケツ等の容器に直接給水するための容器配置スペースがタンク本体下部の脚部によって確保されるので、雨水貯留タンクの設置にあたっては台座を必要としない。また、タンク本体の下部に脚部を直接連結して固定しているので、タンク本体が脚部からずれたり、脱落したりする心配はない。ところで、このような雨水貯留タンクは、脚部にタンク本体からの負荷が常時かかるため、脚部においてはこれに耐えうる強度が必要とされる。特許文献２の脚部は、ブロアー成形によって形成され、製造しやすく、製造コストを抑えることができるが、側壁が薄く強度が十分でない。このため、特許文献２の脚部は、内部に金属補強板を挿入し、脚部の側壁を金属補強板で補強することによって、脚部の強度を高めている。しかしながら、このような金属補強板を用いることは、材料費、部品管理コスト、脚部への取り付け工程が増える等の製造コストがかかるだけでなく、雨水貯留タンクが屋外に設置されることにより金属補強板が腐食して脚部の強度が低下するため、タンク本体を安定して支持できないという問題がある。
【先行技術文献】
【特許文献】
【０００４】
【特許文献１】特開平１１−３２４０３１公報
【特許文献２】特開２００７−２０５００６公報
【発明の概要】
【発明が解決しようとする課題】
【０００５】
本発明は、以上の通りの事情に鑑みてなされたものであり、タンク本体を安定して支えることができる、設置が容易な雨水貯留タンクを提供することを課題としている。
【課題を解決するための手段】
【０００６】
本発明の雨水貯留タンクは、竪樋から雨水を導入する雨水導入口及び導入した雨水を取り出す取水口を有する、上部に開口部が形成されている有底筒状のタンク本体と、タンク本体の開口部を覆う蓋体と、タンク本体を支持する架台とを備え、タンク本体には、内側部分が平面部であり、外周部が円弧状に傾斜している底部の中央に、外周面に雄ねじが形成されている筒状でタンク本体の内部と連通されたねじ部が下方に突出して設けられ、ねじ部の左右両側に、下方に向かって縮径する円錐台形状の凸部が下方に膨出してタンク本体の底部に一体に形成されており、架台は、タンク本体を支持するタンク本体受け部を上部に有し、タンク本体受け部の左右両側の下部に脚部が形成されており、架台のタンク本体受け部の外形形状は、タンク本体の底部の外形形状と同一形状もしくは略同一形状であり、タンク本体受け部には、タンク本体の底部に設けられたねじ部に対応する箇所に、ねじ部が挿通する孔部が設けられ、かつタンク本体の底部に形成された凸部に対応する箇所に、凸部の外形形状に対応する形状を有する凹部が形成され、かつタンク本体受け部には、内側部分に平面部が形成され、タンク本体受け部の周縁部分は、外側方に向かって湾曲しながら立ち上がっており、凹部に凸部が係合し、タンク本体受け部がタンク本体の底部に面接触し、かつねじ部の先端側から孔部に挿入されて内周面に雌ねじが形成されている締結具が、ねじ部の先端側からねじ込まれることにより、タンク本体が架台に固定されることを特徴としている。
【発明の効果】
【０００７】
本発明の雨水貯留タンクによれば、タンク本体を安定して支えることができ、設置が容易となる。
【図面の簡単な説明】
【０００８】
【図１】本発明の雨水貯留タンクの一実施形態を示した正面図である。
【図２】図１の雨水貯留タンクの分解斜視図である。
【図３】図１の雨水貯留タンクの斜視図である。
【図４】図１の雨水貯留タンクにおけるタンク本体の（ａ）平面図、（ｂ）正面図、（ｃ）底面図である。
【図５】図１の雨水貯留タンクにおける架台の（ａ）斜視図、（ｂ）Ａ−Ａ断面図である。
【図６】図１の雨水貯留タンクにおける蓋体の（ａ）斜視図、（ｂ）Ｂ−Ｂ断面図、（ｃ）底面図である。
【図７】タンク本体と蓋体との接続構造を説明するための図である。
【図８】図１の雨水貯留タンクの設置状態を示した背面図である。
【発明を実施するための形態】
【０００９】
図１は、本発明の雨水貯留タンクの一実施形態を示した正面図であり、図２はその分解斜視図、図３は斜視図である。図４は、図１の雨水貯留タンクにおけるタンク本体の（ａ）平面図、（ｂ）正面図、（ｃ）底面図である。図５は、図１の雨水貯留タンクにおける架台の（ａ）斜視図、（ｂ）Ａ−Ａ断面図である。図６は、図１の雨水貯留タンクにおける蓋体の（ａ）斜視図、（ｂ）Ｂ−Ｂ断面図、（ｃ）底面図である。図７は、タンク本体と蓋体との接続構造を説明するための図である。図８は、図１の雨水貯留タンクの設置状態を示した背面図である。
【００１０】
雨水貯留タンク１は、竪樋６４からの雨水を貯留するタンク本体２と、このタンク本体２上部を覆う蓋体５０と、タンク本体２を支持する架台２０とを備えている。
【００１１】
タンク本体２は、横断面視で楕円形状を有する樹脂製の有底筒状体であり、前面２ａ下部に横断面視半円形状の凹面３が形成されている。この凹面３の上部側には、取水口４としてのＬ字状の蛇口５が、楕円形状の前面２ａよりも前方に突き出さないように、水平方向に突出して設けられている。蛇口５は、頂部に水平面内を回動自在とされたレバー６を備えており、レバー６の回動操作によって、雨水貯留タンク１内に貯留された雨水が蛇口５下端の吐出口７から吐出されたり、雨水の吐出が停止されたりする。
【００１２】
タンク本体２の後面上部には、背面側からみて右側に雨水導入口８が設けられ、左側にオーバーフロー用排水口９が設けられている。雨水導入口８はホース１０等の管を介して住宅の雨水流入系に連通されており、住宅の雨水流入系からタンク本体２に雨水が流れ込むようになっている。オーバーフロー用排水口９はホース１１等の管を介して住宅の雨水排水系に連通されており、タンク本体２の容量を超える雨水が雨水流入系からタンク本体２に流入した場合にはその過剰分の雨水がオーバーフロー用排水口９から雨水排水系に排水されるようになっている。住宅の雨水流入系及び雨水排水系は、竪樋６４により構成されている。
【００１３】
タンク本体２の底部１２は、外周部１３が円弧状に傾斜しており、内側部分が平面部１４であり、平坦面を有している。また、タンク本体２の底部１２には、左右方向の中央であって前後方向の中央の位置に、外周面に雄ねじが形成されている筒状のねじ部１５が下方に突出して設けられている。このねじ部１５は、タンク本体２の底部１２と一体に形成されており、架台２０との連結、固定用に使用される。ねじ部１５は、タンク本体２の内部と連通されており、タンク本体２内に貯留された雨水がねじ部１５の下端から排水可能であり、ドレン部７０としても機能する。
【００１４】
タンク本体２の底部１２には、ねじ部１５の左右両側に、タンク本体２底部１２から下方に向かって縮径する円錐台形状の凸部１７が下方に膨出して一体に形成されている。この凸部１７の下面１８は、内側に円形状の開口を有し、リング状に形成されている。また、この凸部１７はタンク本体２の内部と連通されている。さらに、凸部１７の下面１８には、外周面に雄ねじが形成されているねじ部１６が、内側の開口周縁から連続して下方に突出して設けられている。このねじ部１６の下面は、閉塞されており、タンク本体２内に貯留された雨水がねじ部１６の下端から抜けないようになっている。
【００１５】
架台２０は、樹脂製で構成されており、タンク本体２の凹面３に設けられた蛇口５の下方にじょうろやバケツ等の容器を配置して蛇口５から容器に直接給水することができるようにタンク本体２の下部に設置される。
【００１６】
架台２０の上部には、タンク本体２を支持する平板状のタンク本体受け部２１が形成されており、その周縁に側壁２２が略垂直方向に垂下して形成されている。
【００１７】
タンク本体受け部２１の外形形状は、タンク本体２底部１２の外形形状と同一形状もしくは略同一形状であり、前側部分は、タンク本体２の前面２ａ下部の凹面３に対応するように内側方向に凹状に形成されており、前側部分を除く部分は楕円形状を有している。このタンク本体受け部２１は、架台２０の側壁２２と一体に形成されている。タンク本体受け部２１の内側部分は、平面部２３が形成され、平坦面を有し、周縁部分２４は、外側方向に向かって湾曲しながら立ち上がっており架台２０の側壁２２に連続している。この周縁部分２４は、タンク本体２底部１２の外周部１３と面接触するように形成されている。
【００１８】
タンク本体受け部２１は、外形形状がタンク本体２底部１２と同一形状もしくは略同一形状であるため、タンク本体２底部１２全体が架台２０のタンク本体受け部２１で支持される。架台２０の上にタンク本体２が設置されたときには、タンク本体受け部２１の平面部２３がタンク本体２底部１２の平面部１４と面接触するとともに周縁部分２４がタンク本体２底部１２の外周部１３と面接触してタンク本体２が支持されるようになっている。
【００１９】
架台２０の側壁２２は、外周面４２が、タンク本体２が架台２０に支持されている状態においてタンク本体２の外周面１９と同一面上もしくは略同一面上になるように形成されている。このため、屋外に設置した雨水貯留タンク１は、見栄えがよく建物になじみやすいすっきりした外観が実現される等、意匠性に優れ、建物との調和が図れるようになっている。
【００２０】
タンク本体受け部２１には、タンク本体２底部１２のねじ部１５に対応する箇所に孔部２５が形成されている。この孔部２５の内径は、ねじ部１５の外径よりもやや大きくされており、ねじ部１５を挿通可能にしている。また、タンク本体２底部１２の凸部１７の対応する箇所に、下方に膨出する凹部２７が形成されている。この凹部２７は、タンク本体２底部１２の凸部１７の外形形状に対応するものであり、下方に向かって縮径する円錐台形状を有しており、タンク本体２が架台２０に設置されたときに面接触して係合する。凹部２７の下面２８の内側には孔部２６が形成されており、凸部１７の下面１８に連続するねじ部１６が挿通可能なように、孔部２６の内径がねじ部１６の外径よりもやや大きくされている。
【００２１】
また、タンク本体受け部２１には、凹溝２９が形成されている。この凹溝２９は、タンク本体受け部２１の下方に膨出して形成され、中央の孔部２５及び左右両側の凹部２７の周縁もしくはその近傍から周方向と直交する方向に周縁部分２４にまで延びている。このような凹溝２９が設けられることで、タンク本体受け部２１の平面部２３の強度が補強されている。
【００２２】
架台２０は、左右両側のそれぞれの孔部２６を中心として側壁２２が円筒形状に形成されて脚部３０を構成している。これによって、架台２０の下面と地面６３との接触面積が小さくなり、架台２０のぐらつき等が抑えられ、タンク本体２を安定して支持できるようになっている。また、脚部３０の下面内側には、図５（ｂ）に示すように、凹部２７に対称な凹部３１が、凹部２７の下方に一体となって側壁２２から連続して形成されている。このような脚部３０を有する架台２０は、孔部２５，２６が形成されている部分が一枚板状になっているので、後加工で抜き打ち加工により孔部２５，２６を形成することも可能である。例えば、架台２０のタンク本体受け部２１の平面部２３と、凹部２７の下面２８が形成されている底板が一枚板状に形成されている。この場合には、より精度の高い孔部２５，２６を形成することができるので、位置あわせの精度を向上させることができる。
【００２３】
タンク本体２の架台２０への取り付けにあたっては、タンク本体２底部１２のねじ部１６の先端側から架台２０のタンク本体受け部２１の凹部２７に差し込む。タンク本体受け部２１の凹部２７の外径はタンク本体２底部１２の凸部１７のねじ部１６の外径よりも大径であり、しかもこの凹部２７は円錐台形状を有しているので、タンク本体２を架台２０に取り付けるにあたり、タンク本体２底部１２のねじ部１６の位置合わせ及び差し込みが容易であり、取り付け作業が簡易である。タンク本体２をさらに差し込むと、ねじ部１５，１６はそれぞれ孔部２５，２６を通過し、タンク本体受け部２１の下方に突出する。そして、内周面に雌ねじが形成されているナット３３やキャップ３４等の締結具３２をねじ部１５，１６の先端側からねじ込み、締着することにより、タンク本体２が架台２０に取り付けられて固定される。例えば、ねじ部１５にはキャップ３４をねじ込み、ねじ部１６にはナット３３をねじ込む。タンク本体２が架台２０に取り付けられた状態においては、タンク本体受け部２１がタンク本体２底部１２と面接触するとともに、タンク本体受け部２１の凹部２７とタンク本体２底部１２の凸部１７が面接触して係合するため、接合強度が高まり、また、タンク本体２からの負荷がタンク本体受け部２１全体に分散するため、タンク本体２がより安定に確実に架台２０に支持、固定され、タンク本体２の位置ずれや脱落等が防止される。
【００２４】
また、雨水貯留タンク１では、タンク本体２の上部に、蓋体５０裏面と面接触して蓋体５０を支持する蓋体受け部３５を有している。蓋体受け部３５は、タンク本体２上端の周方向に形成されている段部３６の内側に、全周にわたって設けられている環状部３７と、タンク本体２の左右方向の中央において前側の環状部３７と後側の環状部３７との間に架け渡される平板状の架橋部４０から構成されている。蓋体受け部３５の環状部３７は、段部３６の内側から円弧状に湾曲しながら上方に突設している立ち上がり部３８と、さらにその立ち上がり部３８の内側に延設される平板状の平面部３９を有している。架橋部４０は、環状部３７の平面部３９に連続して形成されている。蓋体受け部３５は、タンク本体２と一体に形成されている。蓋体受け部３５の内側には、架橋部４０の左右両側のそれぞれに上方に開口する開口部４１が形成されている。
【００２５】
蓋体受け部３５がタンク本体２上端の段部３６内側に形成されるとともに前後に架け渡されて形成されていることにより、蓋体５０をタンク本体２に配置した状態において蓋体５０とタンク本体２との接触面積が増大して接合強度が高まるとともに蓋体５０の位置ずれが防止される。また、タンク本体２上部の強度が強化され、タンク本体２が変形したり、撓み、歪み等が生じたりしないようになっている。このような効果は、例えば、大量の雨水がタンク本体２内部に貯留されたときに格別なものとして実現される。
【００２６】
蓋体５０は、樹脂製であり、タンク本体２の上部を覆う大きさに構成されており、タンク本体２に配置した状態において、その外周面が、雨水導入口８及びオーバーフロー用排水口９が設けられているタンク本体２の後面上部の左右両側部分を除くタンク本体２の外周面１９と同一面上もしくは略同一面上になるように形成されている。
【００２７】
蓋体５０は、タンク本体２の上部を覆う平板状の天板５１と、天板５１の周縁に垂下する周壁５２と、周壁５２の下端において折り返されて天板５１に向かって円弧状に湾曲して延設される折り返し部５４と、折り返し部５４から連設されて天板５１の下部に配置される補強板５５とを備えている。
【００２８】
天板５１は、外形形状が楕円形状であり、タンク本体２に対応した形状を有している。周壁５２は、天板５１の周縁に略垂直に垂下しており、また、天板５１の全周にわたって設けられている。周壁５２の外周面５３は、雨水導入口８及びオーバーフロー用排水口９が設けられているタンク本体２の後面上部の左右両側部分を除くタンク本体２の外周面１９と同一面上もしくは略同一面上になるように形成されている。折り返し部５４も全周にわたって設けられている。
【００２９】
折り返し部５４は、タンク本体２の蓋体受け部３５の立ち上がり部３８に対応する形状を有しており、蓋体５０がタンク本体２に配置されたときに、蓋体受け部３５の立ち上がり部３８と面接触して係合し、蓋体５０がタンク本体２に固定される。
【００３０】
補強板５５は、平板状であり、天板５１と略平行に配設されている。この補強板５５は、上方に円筒状に膨出させた接合部５７を複数有しており、接合部５７上端において天板５１と連結されている。補強板５５には、蓋体５０の上下方向の位置決めのための四角形状の突起５６が下方に膨出して設けられている。この突起５６は、例えば、タンク本体２の蓋体受け部３５の平面部３９に対応する蓋体５０の裏面の複数箇所に設けられており、蓋体５０をタンク本体２に配置した際には、補強板５５の突起５６の下端がタンク本体２の蓋体受け部３５の平面部３９に当接して、蓋体５０の上下方向の位置決めがなされる。
【００３１】
雨水貯留タンク１において、天板５１、周壁５２、折り返し部５４、補強板５５の厚さはいずれも薄くされており、蓋体５０の軽量化が図られている。蓋体５０の平面部は、天板５１の下部に補強板５５が略平行に配設されて二重構造とされており、平面部の強度が高められて変形、歪み等が生じにくくなっている。また、接合部５７において天板５１と補強板５５との両者が連結されているため、さらに強度が高められている。蓋体５０の外周部は、周壁５２と折り返し部５４とから構成されて内部は中空とされている。蓋体５０の外周部においても、周壁５２と折り返し部５４とにより二重構造となっているため、強度が高められて変形、歪み等が生じにくくなっている。
【００３２】
蓋体５０をタンク本体２に配置すると、上述したように、折り返し部５４がタンク本体２の蓋体受け部３５環状部３７の立ち上がり部３８と面接触して係合するとともにタンク本体２の蓋体受け部３５環状部３７の平面部３９及び架橋部４０が補強板５５と面接触する。このため、接合強度が高まり、蓋体５０が位置ずれすることなく蓋体受け部３５で支持されてタンク本体２に確実に配置される。また、蓋体５０の脱着が容易でもある。さらに、蓋体５０の周壁５２の外周面５３が、雨水導入口８及びオーバーフロー用排水口９が設けられているタンク本体２の後面上部の左右両側部分を除いてタンク本体２の外周面１９と同一面上もしくは略同一面上になるように形成されているので、屋外に設置した雨水貯留タンク１は、見栄えがよく建物になじみやすいすっきりした外観が実現される等、意匠性に優れ、建物との調和が図れるようになっている。また、補強板５５には、蓋体５０の上下方向の位置決めのための四角形状の突起５６が下方に膨出して設けられており、蓋体５０をタンク本体２に配置した際には、補強板５５の突起５６の下端がタンク本体２の蓋体受け部３５の平面部３９に当接することにより、蓋体５０の上下方向の位置決めが効果的になされる。
【００３３】
雨水貯留タンク１では、ねじやボルト等の取付具５８で蓋体５０がタンク本体２にねじ止めされて固定されてもよい。例えば、蓋体５０の左右２箇所の周壁５２及び折り返し部５４のそれぞれに、前後に貫通するボルトやねじ等の取付具５８の取付孔５９，６０が穿設されている。一方、タンク本体２の蓋体受け部３５の環状部３７の立ち上がり部３８には、蓋体５０の取付孔５９，６０に対応する位置に、円筒状に凹みが形成されている凹部６１が内側に膨出して設けられている。凹部６１には、図７に示すように、インサートナット６２が埋設されている。そして、取付具５８が周壁５２の外側から周壁５２及び折り返し部５４の取付孔５９，６０に挿入され、インサートナット６２にねじ込まれて、蓋体５０がタンク本体２に固定される。蓋体５０の固定にあたり、取付具５８がねじ込まれると、蓋体５０の折り返し部５４の取付孔６０近傍が弾性変形して座金として作用し、取付具５８のねじ込みが確実なものとされ、また取付具５８が緩む心配もなく、蓋体５０が固定される。したがって、蓋体５０を取付具５８でねじ止めで固定する場合には、座金が不要となり、部品点数を削減でき、しかも簡易な取り付けが実現される。
【００３４】
以上の雨水貯留タンク１において、タンク本体２、架台２０、蓋体５０は、例えば、真空成形、圧空成形、プレス成形等の各種の方法による成形品として得られる。
【００３５】
雨水貯留タンク１は、図８に示したように、地面６３に設置される。タンク本体２の雨水導入口８にはホース１０の一端が接続され、他端は竪樋６４の途中に設けられた雨水分岐部材６５の分岐部６６に接続される。雨水分岐部材６５は、降雨時、竪樋６４内を流下する雨水の一部を分岐部６６から竪樋６４の外部に流出させるものであり、雨水は、雨水分岐部材６５の分岐部６６に接続されたホース１０を介してタンク本体２に自然流入し、貯留される。タンク本体２のオーバーフロー用排水口９にはホース１１の一端が接続され、他端は竪樋６４の雨水分岐部材６５の下流に設けられる雨水合流部材６７の合流部６８に接続される。雨水合流部材６７は、竪樋６４外部の雨水を竪樋６４内を流下する雨水に合流させるものであり、タンク本体２の容量を超える雨水がタンク本体２に導入されると、その過剰分の雨水がオーバーフロー用排水口９に接続されたホース１１を介して雨水合流部材６７の合流部６８から竪樋６４に排水される。タンク本体２に貯留された雨水は、レバー６を開いて開栓することにより蛇口５から自然流出し、所望量の雨水をじょうろやバケツ等の容器に取り出すことができる。必要に応じて蛇口５にホースを取り付けてもよく、この場合、雨水貯留タンク１から離れた庭への散水や洗車に便利である。
【符号の説明】
【００３６】
１  雨水貯留タンク
２  タンク本体
４  取水口
８  雨水導入口
１２  底部
１３  外周部
１４  平面部
１５  ねじ部
１７  凸部
２０  架台
２１  タンク本体受け部
２３  平面部
２４  周縁部分
２５  孔部
２７  凹部
３０  脚部
３２  締結具
４１  開口部
５０  蓋体
【図１】
0005395249.tif 000002
【図２】
0005395249.tif 000003
【図３】
0005395249.tif 000004
【図４】
0005395249.tif 000005
【図５】
0005395249.tif 000006
【図６】
0005395249.tif 000007
【図７】
0005395249.tif 000008
【図８】
0005395249.tif 000009